(57)【特許請求の範囲】
【請求項１】
収納ボックスにおけるリッド部の裏面側に、収納高さ変更可能に小物収納ボックスを設け、
収納高さ変更可能な小物収納ボックスが、
前記リッド部の裏面に対して近接離反動可能に配設された小物収納ケースと、
リッド部の裏面に設けられて、前記小物収納ケースの近接離反動を案内するガイドリブと、
小物収納ケースとリッド部の裏面との間に設けられて、前記小物収納ケースを前記リッド部の裏面へ向けて付勢する収納高さ調節手段とを備えたことを特徴とする車両用収納ボックス構造。
【請求項２】
小物収納ケースとガイドリブとの間に、リッド部の裏面に対して小物収納ケースの表面を略平行に保持しつつ、小物収納ケースをリッド部の裏面に対して近接離反動させるガイド部が設けられたことを特徴とする請求項１記載の車両用収納ボックス構造。
【発明の詳細な説明】
【０００１】
【発明の属する技術分野】
この発明は、自動車などの車両の車室前部などに設けられる車両用収納ボックス構造に関するものである。
【０００２】
【従来の技術】
自動車などの車両の車室前部には、例えば、助手席側のインストルメントパネル部分にグローブボックスなどの物入れが車両用収納ボックスとして設けられている。
【０００３】
このような車両用収納ボックスとしては、従来、特開２０００−２５５２９号公報に記載されているように、グローブボックスにおけるリッド部の裏面側に、ティッシュボックスを設けて、グローブボックス内にティッシュペーパーを収容し、リッド部を開くことによって簡単にティッシュペーパーを取出せるようにしたものがある。
【０００４】
【発明が解決しようとする課題】
しかしながら、上記公報にかかる車両用収納ボックス構造では、ティッシュボックスの収納高さが一定とされていたので、以下のような問題があった。
【０００５】
即ち、ティッシュボックスの収納高さを低く設定した場合には、ティッシュボックスに収容できるティッシュペーパーの種類や量が制限されてしまう。反対に、ティッシュボックスの収納高さを高く設定した場合には、グローブボックス内における物の収容量がその分だけ減少してしまうと共に、グローブボックス内への物の出し入れ時に、ティッシュボックスが妨げとなってしまう。
【０００６】
そこで、本発明の目的は、上記の問題点を解消し、収容できるティッシュペーパー等の収納小物に対する制限をなくすと同時に、グローブボックス内における物の収容量や物の出し入れに対する影響を少なくすることのできる車両用収納ボックス構造を提供することにある。
【０００７】
【課題を解決するための手段】
上記課題を解決するために、請求項１に記載された発明では、収納ボックスにおけるリッド部の裏面側に、収納高さ変更可能に小物収納ボックスを設けた車両用収納ボックス構造を特徴としている。
【０００８】
このように構成された請求項１にかかる発明によれば、小物収納ボックスの収納高さを変更させることにより、収容できる収納小物に対する制限をなくすことが可能となる。同時に、収納ボックス内における物の収容量や物の出し入れに対する影響を少なくすることが可能となる。
【０００９】
また、請求項１に記載された発明では、収納高さ変更可能な小物収納ボックスが、前記リッド部の裏面に対して近接離反動可能に配設された小物収納ケースと、リッド部の裏面に設けられて、前記小物収納ケースの近接離反動を案内するガイドリブと、小物収納ケースとリッド部の裏面との間に設けられて、前記小物収納ケースを前記リッド部の裏面へ向けて付勢する収納高さ調節手段とを備えた車両用収納ボックス構造を特徴としている。
【００１０】
このように構成された請求項１にかかる発明によれば、リッド部の裏面に対して小物収納ケースが近接離反動され、この小物収納ケースの近接離反動をガイドリブが案内し、この時、収納高さ調節手段が、小物収納ケースをリッド部の裏面へ向けて付勢するようにしたことにより、収納高さ変更可能な小物収納ボックスが実現される。
【００１１】
請求項２に記載された発明では、小物収納ケースとガイドリブとの間に、リッド部の裏面に対して小物収納ケースの表面を略平行に保持しつつ、小物収納ケースをリッド部の裏面に対して近接離反動させるガイド部が設けられた請求項１記載の車両用収納ボックス構造を特徴としている。
【００１２】
このように構成された請求項２にかかる発明によれば、小物収納ケースとガイドリブとの間に設けたガイド部が、リッド部の裏面に対して小物収納ケースの表面を略平行に保持しつつ、小物収納ケースをリッド部の裏面に対して近接離反動させる。これにより、小物収納ケースの姿勢が安定し、小物収納ケースに対するテッシュペーパーの着脱を容易化することができると共に、収納ボックス内における物の収容量や物の出し入れに対する影響をより少なくすることができる。
【００１３】
【発明の実施の形態】
以下、本発明の具体的な実施の形態について、図示例と共に説明する。
【００１４】
図１〜図９は、この発明の実施の形態を示すものである。
【００１５】
まず、構成を説明すると、図１は、自動車などの車両の車室前部１を示しており、この車室前部１には、例えば、助手席側のインストルメントパネル２の部分の下部にグローブボックス３などの物入れが車両用収納ボックスとして設けられている。
【００１６】
このグローブボックス３は、図２に示すように、箱状のグローブボックス本体４と、このグローブボックス本体４の助手席に面した部分に設けられた開口部にその略下辺部を中心として上辺部を上下方向へ開閉自在に取付けられたリッド部５とを備えている。このリッド部５は、図２では、リッドインナー６とリッドアウター７との２層構造のものとされているが、これに限るものではない。
【００１７】
そして、このリッド部５の裏面（即ち、リッドインナー６の）側には、グローブボックス３の内部に、例えば、ティッシュペーパーａ（図４、図５参照）などの収納小物を収容可能なティッシュボックス１１などの小物収納ボックスが設けられている。なお、図４、図５では、ティッシュペーパーａは、箱入りのものとして描かれているが、袋入りのものなどであっても良い。
【００１８】
この実施の形態のものでは、グローブボックス３におけるリッド部５の裏面側に設けられたティッシュボックス１１を、収納高さ変更可能なものとする。
【００１９】
より具体的には、図３〜図９に示すように、収納高さ変更可能なティッシュボックス１１は、リッド部５の裏面に対して近接離反動可能に配設されたティッシュケース１２などの小物収納ケースと、ティッシュケース１２の近接離反動を案内するガイドリブ１３と、ティッシュケース１２をリッド部５の裏面へ向けて付勢する収納高さ調節手段１４とを備えている。
【００２０】
このティッシュケース１２は、メインケース１６とサブケース１７とを備えている。メインケース１６は、リッド部５と略平行な面部１８、および、この面部１８における車幅方向１９（あるいは、グローブボックス３の幅方向）の両側辺部からリッド部５へ向けて延びる一対の脚部２０を有する略コ字状を呈している。上記面部１８は、ほぼ平面形状を呈しているが、リッド部５は湾曲しているので、このリッド部５の湾曲形状に近似させるため、面部１８は、中途部で僅かに屈曲されている（屈曲部分１８ａ）。そして、メインケース１６における、リッド部５の上辺部側と下辺部側の辺部には脚部２０が設けられておらず、この脚部２０が設けられていない上辺部側にティッシュペーパーａの着脱口部２１が形成される。更に、メインケース１６の面部１８の略中央には、車幅方向１９へ延びる細長いティッシュペーパー取出口２２が形成されている。このティッシュペーパー取出口２２は、ティッシュペーパーａの箱または袋に形成されたティッシュペーパー取出口ｂに対応するものである。上記サブケース１７は板状を呈しており、メインケース１６の下辺部側の脚部２０が設けられていない部分を覆い得るようになっている。メインケース１６とサブケース１７とは、後述するように、ヒンジ２３によって結合されている。そして、サブケース１７の自由端側（ヒンジ２３と反対側の）は、リッド部５の裏面から立設されたストッパリブ５ａに当接係止されている。このストッパリブ５ａは、サブケース１７の自由端の全長に亘って設けても、部分的に設けても良い。
【００２１】
また、上記ガイドリブ１３は、リッド部５の裏面から一対立設されていると共に、各ガイドリブ１３は、メインケース１６の脚部２０の外側に沿って延設されている。ここで、ティッシュボックス１１の収納高さは、ガイドリブ１３の高さとこのガイドリブ１３の上面からの脚部２０の突出量との和によって決定される。よって、収容可能とする最も大きいティッシュペーパーａの高さよりも僅かに大きくなるように上記の和を設定する。なお、脚部２０の高さとガイドリブ１３の高さは略等しくするのが好ましい。
【００２２】
上記収納高さ調節手段１４は、メインケース１６とサブケース１７とを結合するヒンジ２３の部分に介装されている。このヒンジ２３は、図６〜図８に示すように、メインケース１６の下辺部側における車幅方向１９の略中央部に形成された軸支部２５と、サブケース１７の対応する辺における車幅方向１９の両側部に形成された一対の軸支部２６と、この軸支部２５，２６に挿入されたヒンジ軸２７とを備えている。なお、ヒンジ軸２７の一端側には抜け止め用のフランジ２８が形成され、他端側には例えば、Ｅリング等からなるエンドリング２９が取付けられる。そして、収納高さ調節手段１４は、ヒンジ軸２７の外周で且つ軸支部２５，２６間に嵌着されたコイルスプリング３０を備えている。このコイルスプリング３０は、一端部がメインケース１６に係止され、他端部がサブケース１７に係止されて、メインケース１６の面部１８とサブケース１７とを、両者が側面視で略一直線状になるように付勢している。
【００２３】
更に、ティッシュケース１２とリッド部５との間には、両者を連結する連結手段３３が設けられている。この連結手段３３は、一端にコイルスプリング３０の外周を包囲・支持して、コイルスプリング３０の保護および見栄え向上を図るための面フック状あるいは略筒状の支持部３４を有し、他端に車幅方向１９へ延びる玉縁３５を有するステー３６を備えている。このステー３６は、玉縁３５をリッド部５の裏面の対応する位置に設けられた係止舌片状のブラケット３７によって回動自在に軸支されている。このブラケット３７は、図９に示すように、玉縁３５を収容する軸支部３８にステー３６の回動を許容する切欠部３９を所要範囲で有している。
【００２４】
加えて、ティッシュケース１２とガイドリブ１３との間に、リッド部５の裏面に対してティッシュケース１２の表面を略平行に保持しつつ、ティッシュケース１２をリッド部５の裏面に対して近接離反動させるガイド部４１が設けられている。
【００２５】
このガイド部４１は、図３〜図５に示すように、例えば、ティッシュケース１２におけるメインケース１６の脚部２０から車幅方向１９外方へ突設したガイド軸４２と、ガイドリブ１３のガイド軸４２と対応する位置に形成されたガイド溝４３とによって構成されている。なお、ガイド溝４３は、ティッシュケース１２が常にリッド部５の裏面に対して略平行になるように、略円弧状に形成されている。
【００２６】
次に、この実施の形態の作用について説明する。
【００２７】
グローブボックス３のリッド部５の裏面に設けられたティッシュボックス１１にティッシュペーパーａを収容する場合には、グローブボックス３のリッド部５を開き、収納高さ調節手段１４の付勢力に抗し、ガイドリブ１３に沿ってティッシュケース１２をリッド部５の裏面から平行に離反動させて、ティッシュケース１２の上辺部側の着脱口部２１からティッシュペーパーａの箱や袋を挿入して、手を離す。すると、収納高さ調節手段１４が作用して、ティッシュケース１２がティッシュペーパーａの箱や袋に圧接され、ティッシュボックス１１の収納高さが、無段階に各サイズのティッシュペーパーａの箱や袋に合わせて最適に調整される。
【００２８】
この際、ティッシュケース１２を構成するサブケース１７は、収納高さ調節手段１４の付勢力によって、メインケース１６から離れようとするが、サブケース１７の自由端側（ヒンジ２３と反対側の）を、リッド部５の裏面から立設されたストッパリブ５ａに当接係止させるようにしているので、サブケース１７は、ストッパリブ５ａに係止された自由端側を中心として傾動される。このように、自由端側を係止することにより、サブケース１７の動きを規制することができるので、メインケース１６の側部とサブケース１７との間に大きな隙間ができて物落ちなどを引き起こすことが防止される。
【００２９】
このように、この実施の形態によれば、ティッシュボックス１１の収納高さを変更させ得るようにしたことにより、収容できるティッシュペーパーａに対する制限をなくすことが可能となる。同時に、ティッシュボックス１１の収納高さが収納高さ調節手段１４によって最適に調整されるので、グローブボックス３内における物の収容量や物の出し入れに対する影響を少なくすることが可能となる。
【００３０】
また、リッド部５の裏面に対してティッシュケース１２が近接離反動され、このティッシュケース１２の近接離反動をガイドリブ１３が案内し、この時、収納高さ調節手段１４が、ティッシュケース１２をリッド部５の裏面へ向けて付勢するように構成したことにより、収納高さ変更可能なティッシュボックス１１が簡単且つ低コストで実現される。
【００３１】
更に、ティッシュケース１２とガイドリブ１３との間に設けたガイド部４１が、リッド部５の裏面に対してティッシュケース１２の表面を略平行に保持しつつ、ティッシュケース１２をリッド部５の裏面に対して近接離反動させる。これにより、ティッシュケース１２の姿勢が安定し、ティッシュケース１２に対するテッシュペーパーの着脱を容易化することができると共に、グローブボックス３内における物の収容量や物の出し入れに対する影響をより少なくすることができる。
【００３２】
【変形例】
図１０は、実施の形態の変形例であり、連結手段３３を廃止して、サブケース１７’に連結手段３３の機能を持たせるようにしたものである。この場合において、収納高さ調節手段１４としてのコイルスプリング３０は、メインケース１６とサブケース１７’とを連結するヒンジ２３部分に設けても、また、サブケース１７’とリッド部５の裏面との連結部に設けても良い。
【００３３】
このように、サブケース１７’をリッド部５の裏面との連結手段とすることにより、部品点数の削減と組付け工数の削減によるコストダウンを図ることができる。
【００３４】
なお、サブケース１７’に連結手段３３の機能を持たせることにより、メインケース１６の側部とサブケース１７’との間に隙間ができることとなるが、これは、ガイドリブ１３を延長することによって解消することができる。
【００３５】
上記以外の部分については、上記実施の形態と同様の構成を備えており、同様の作用・効果を得ることができる。
【００３６】
【発明の効果】
以上説明してきたように、請求項１の発明によれば、小物収納ボックスの収納高さを変更させることにより、収容できる収納小物に対する制限をなくすことが可能となる。同時に、収納ボックス内における物の収容量や物の出し入れに対する影響を少なくすることが可能となる。
【００３７】
また、請求項１の発明によれば、リッド部の裏面に対して小物収納ケースが近接離反動され、この小物収納ケースの近接離反動をガイドリブが案内し、この時、収納高さ調節手段が、小物収納ケースをリッド部の裏面へ向けて付勢するようにしたことにより、収納高さ変更可能な小物収納ボックスが実現される。
【００３８】
請求項２の発明によれば、小物収納ケースとガイドリブとの間に設けたガイド部が、リッド部の裏面に対して小物収納ケースの表面を略平行に保持しつつ、小物収納ケースをリッド部の裏面に対して近接離反動させる。これにより、小物収納ケースの姿勢が安定し、小物収納ケースに対するテッシュペーパーの着脱を容易化することができると共に、収納ボックス内における物の収容量や物の出し入れに対する影響をより少なくすることができる、という実用上有益な効果を発揮し得る。
【図面の簡単な説明】
【図１】本発明の実施の形態にかかる車室前部の斜視図である。
【図２】図１のグローブボックスの側方断面図である。
【図３】図２のリッド部の部分拡大図である。
【図４】図３のリッド部を裏面側から見た斜視図である。
【図５】図４の分解斜視図である。
【図６】図５のティッシュケースの分解斜視図である。
【図７】図６のティッシュケースにおけるヒンジ部の軸線方向に沿った断面図である。
【図８】図７のヒンジ部の軸線方向と直交する方向の断面図である。
【図９】ティッシュケースのリッド部に対する連結部の側面図である。
【図１０】実施の形態の変形例にかかる、図６と同様のティッシュケースの分解斜視図である。
【符号の説明】
３    グローブボックス（収納ボックス）
５    リッド部
１１  ティッシュボックス（小物収納ボックス）
１２  ティッシュケース（小物収納ケース）
１３  ガイドリブ
１４  収納高さ調節手段
４１  ガイド部
【図１】
0004016086.tif 000002
【図２】
0004016086.tif 000003
【図３】
0004016086.tif 000004
【図４】
0004016086.tif 000005
【図５】
0004016086.tif 000006
【図６】
0004016086.tif 000007
【図７】
0004016086.tif 000008
【図８】
0004016086.tif 000009
【図９】
0004016086.tif 000010
【図１０】
0004016086.tif 000011